(57)【要約】【課題】制御基板を設けたことによる体積効率の低下を防止するができると共に、制御基板の発熱による電気二重層キャパシタの劣化を防止できる電気二重層キャパシタの実現。【解決手段】キャパシタ本体14と、電解液と、ラミネートフィルム22の開口周縁を封止して成り、キャパシタ本体14を収納する凸部12ａを有する外装ケース12と、キャパシタ本体14の電圧を制御する制御基板16を備え、キャパシタ本体14及び電解液を外装ケース12内に封入すると共に、キャパシタ本体14の正極タブリード18及び負極タブリード20を、外装ケース14の封止部12ｃを貫通させて外部に導出して成り、上記外装ケース12の凸部12ａの高さ以下における、外装ケース12の封止部12ｃの上側に制御基板16を配置した。【選択図】図１
2015046417.tif 000002
【特許請求の範囲】
【請求項１】
キャパシタ本体と、電解液と、ラミネートフィルムの開口周縁を封止して成り、上記キャパシタ本体を収納する凸部を有する外装ケースと、上記キャパシタ本体の電圧を制御する制御基板を備え、上記キャパシタ本体及び電解液を上記外装ケース内に封入すると共に、上記キャパシタ本体の電極タブリードを、外装ケースの封止部を貫通させて外部に導出して成る電気二重層キャパシタであって、
上記外装ケースの凸部の高さ以下における、外装ケースの封止部の上側に上記制御基板を配置したことを特徴とする電気二重層キャパシタ。
【請求項２】
上記制御基板と封止部との間に空間を設けたことを特徴とする請求項１に記載の電気二重層キャパシタ。
【請求項３】
上記制御基板と封止部との間に断熱材を配置したことを特徴とする請求項１に記載の電気二重層キャパシタ。
【請求項４】
上記外装ケースの封止部が複数の辺を有しており、
上記電極タブリードが導出されていない辺の封止部を、外装ケースの凸部方向に折り曲げたことを特徴とする請求項１〜３の何れかに記載の電気二重層キャパシタ。
【発明の詳細な説明】
【技術分野】
【０００１】
この発明は、キャパシタ本体と、電解液と、ラミネートフィルムの開口周縁を封止して成る外装ケースと、上記キャパシタ本体の電圧を制御する制御基板を備え、上記キャパシタ本体及び電解液を上記外装ケース内に封入すると共に、上記キャパシタ本体の電極タブリードを外装ケース外に導出して成る電気二重層キャパシタに関する。
【背景技術】
【０００２】
電気二重層キャパシタは小型で大容量であるが、耐電圧が低く、この耐電圧を超えて使用すると寿命特性が急速に悪化してしまう。このため、複数の電気二重層キャパシタを直列接続して耐電圧を高めたキャパシタ・モジュールを構成し、使用電圧に適合させている（例えば特許文献１参照）。
【０００３】
しかしながら、複数の電気二重層キャパシタを直列接続してキャパシタ・モジュールを構成する場合、各電気二重層キャパシタの電圧が耐電圧を超えない様に、各電気二重層キャパシタの電圧を制御し、その充電状況を監視する機能が必要となる。斯かる電圧制御機能を有する回路を備えたデバイスが制御基板や回路基板等と称されており、キャパシタ・モジュールを構成する各電気二重層キャパシタに取付けられている（例えば、特許文献２及び特許文献３参照）。
【０００４】
尚、電圧制御機能を有する回路としては、特許文献２に開示されている電圧バランス均等化回路等が該当する。
【先行技術文献】
【特許文献】
【０００５】
【特許文献１】特開２０１０−２５８３５８号公報
【特許文献２】特開２００８−６６３７６号公報
【特許文献３】特開２０１０−８７２６９号公報
【発明の概要】
【発明が解決しようとする課題】
【０００６】
上記のように、キャパシタ・モジュールを構成する各電気二重層キャパシタに電圧制御機能を有する制御基板を取付けると、制御基板の体積分、電気二重層キャパシタが大型化し、キャパシタ・モジュールの体積効率の低下を招いていた。
【０００７】
尚、上記特許文献２は、外装にラミネートフィルムを用いた場合において、正負極の端子32の間に電圧バランス均等化回路35を構成する電子部品（ツェナーダイオードと抵抗）を配置し樹脂製支持体31内に埋め込んだ電気二重層キャパシタ用引出電極複合体を用意し、制御基板の役目を持たすことを意図した技術が開示されている。
【０００８】
この特許文献２にあっては、電圧バランス均等化回路35がラミネートフィルムより成る外装内に配置される構造である（特許文献２の図７参照）ため、体積効率の低下を抑止することはできるものの、電圧バランス均等化回路35を埋め込んだ樹脂製支持体31とラミネートフィルムとを加熱・加圧して溶着させることを考慮すると、電圧バランス均等化回路35に過大な熱的メカ的ストレスが掛かるものである。
【０００９】
また、高温下での電気二重層キャパシタの使用は劣化が著しく加速されるので非常に好ましくなく、できるだけ低い温度、所謂、常温環境での使用が推奨されている。尚、一般的に推奨される電気二重層キャパシタの使用最高温度は６０℃〜７０℃とされているが、劣化を極力抑止した長寿命・メンテナンスフリーを目的とした用途では、常温近辺の温度環境に限定して使用されているのが実情である。
電気二重層キャパシタ内部に電圧バランス均等化回路35が埋め込まれている特許文献２の場合、電圧バランス均等化回路35によって電圧バランスを均等化するために、過電圧状態の電気二重層キャパシタのエネルギーを放電し熱に変換して電圧を降下させることになるので、電圧バランス均等化回路35の構成部品が発熱し、電気二重層キャパシタの劣化・寿命性能に影響を与えることとなる。
【００１０】
本発明は、上記問題に鑑みてなされたものであり、その目的とするところは、制御基板を設けたことによる体積効率の低下を防止するができると共に、制御基板の発熱による電気二重層キャパシタの劣化を防止することができる電気二重層キャパシタを実現することにある。
【課題を解決するための手段】
【００１１】
上記目的を達成するため、本発明の請求項１に記載の電気二重層キャパシタは、
キャパシタ本体と、電解液と、ラミネートフィルムの開口周縁を封止して成り、上記キャパシタ本体を収納する凸部を有する外装ケースと、上記キャパシタ本体の電圧を制御する制御基板を備え、上記キャパシタ本体及び電解液を上記外装ケース内に封入すると共に、上記キャパシタ本体の電極タブリードを、外装ケースの封止部を貫通させて外部に導出して成る電気二重層キャパシタであって、
上記外装ケースの凸部の高さ以下における、外装ケースの封止部の上側に上記制御基板を配置したことを特徴とする電気二重層キャパシタ。
【００１２】
本発明の請求項２に記載の電気二重層キャパシタは、請求項１に記載の電気二重層キャパシタにおいて、
上記制御基板と封止部との間に空間を設けたことを特徴とする。
【００１３】
本発明の請求項３に記載の電気二重層キャパシタは、請求項１に記載の電気二重層キャパシタにおいて、
上記制御基板と封止部との間に断熱材を配置したことを特徴とする。
【００１４】
本発明の請求項４に記載の電気二重層キャパシタは、請求項１〜３の何れかに記載の電気二重層キャパシタにおいて、
上記外装ケースの封止部が複数の辺を有しており、
上記電極タブリードが導出されていない辺の封止部を、外装ケースの凸部方向に折り曲げたことを特徴とする。
【発明の効果】
【００１５】
本発明に係る請求項１に記載の電気二重層キャパシタは、外装ケースの凸部の高さ以下における、外装ケースの封止部の上側に制御基板を配置したことにより、電気二重層キャパシタの必要体積内に制御基板を納めることができ、体積効率の低下を防止するができる。
また、制御基板が外装ケースの外部に配置されるので、制御基板の熱が外装ケース内部のキャパシタ本体へ伝導することを抑制することができる。
【００１６】
請求項２又は請求項３に記載の電気二重層キャパシタの如く、制御基板と封止部との間に空間を設けたり、制御基板と封止部との間に断熱材を配置した場合には、制御基板の熱が外装ケース内部のキャパシタ本体へ伝導することを効果的に抑制することができる。
【００１７】
請求項４に記載の電気二重層キャパシタの如く、外装ケースの封止部が複数の辺を有している場合において、電極タブリードが導出されていない辺の封止部を、外装ケースの凸部方向に折り曲げることにより、外装ケースの外形寸法が小さくなり体積効率を向上させることができる。
【図面の簡単な説明】
【００１８】
【図１】本発明に係る第１の電気二重層キャパシタを示す平面図
【図２】本発明に係る第１の電気二重層キャパシタを示す右側面図
【図３】本発明に係る第１の電気二重層キャパシタを示す正面図
【図４】本発明に係る第１の電気二重層キャパシタの分解説明図
【図５】本発明に係る第１の電気二重層キャパシタの組立工程を示す平面説明図
【図６】本発明に係る第１の電気二重層キャパシタの組立工程を示す右側面説明図
【図７】第１の電気二重層キャパシタの変形例を示す右側面図
【図８】本発明に係る第１のキャパシタモジュールを示す右側面図
【図９】本発明に係る第１のキャパシタモジュールを示す平面図
【図１０】本発明に係る第２の電気二重層キャパシタを示す平面図
【図１１】本発明に係る第２の電気二重層キャパシタを示す右側面図
【図１２】本発明に係る第２の電気二重層キャパシタを示す正面図
【図１３】本発明に係る第２の電気二重層キャパシタの分解説明図
【図１４】本発明に係る第２の電気二重層キャパシタの組立工程を示す平面説明図
【図１５】本発明に係る第２の電気二重層キャパシタの組立工程を示す右側面説明
【図１６】本発明に係る第３の電気二重層キャパシタを示す平面図
【図１７】本発明に係る第３の電気二重層キャパシタを示す右側面図
【図１８】本発明に係る第１の電気二重層キャパシタを示す正面図
【図１９】本発明に係る第３の電気二重層キャパシタの組立工程を示す平面説明図
【図２０】本発明に係る第３の電気二重層キャパシタの組立工程を示す右側面説明図
【図２１】本発明に係る第２のキャパシタモジュールを示す右側面図
【図２２】本発明に係る第２のキャパシタモジュールを示す左側面図
【図２３】本発明に係る第３のキャパシタモジュールを示す平面図
【図２４】本発明に係る第３のキャパシタモジュールを示す正面図
【発明を実施するための形態】
【００１９】
以下、図１〜図６に基づき、本発明に係る第１の電気二重層キャパシタ10を説明する。図１は、本発明に係る第１の電気二重層キャパシタ10を示す平面図、図２は同右側面図、図３は同正面図、図４は、第１の電気二重層キャパシタ10の分解説明図、図５は第１の電気二重層キャパシタ10の組立工程を示す平面説明図、図６は同右側面説明図である。
【００２０】
図１〜図３に示すように、第１の電気二重層キャパシタ10は、外装ケース12と、キャパシタ本体14と、電解液（図示省略）と、上記キャパシタ本体14の電圧を制御する制御基板16を備え、上記キャパシタ本体14及び電解液を上記外装ケース12内に封入すると共に、上記キャパシタ本体14の電極タブリードとしての正極タブリード18及び負極タブリード20を外装ケース外に導出して成る。尚、図示の便宜上、制御基板16はハッチングを施して示している。
第１の電気二重層キャパシタ10においては、正極タブリード18及び負極タブリード20は同一方向に引き出されている。
【００２１】
キャパシタ本体14は、図示は省略するが、アルミニウム等の低電気抵抗の導電材の両面に正極活物質層を形成して成る正極集電体と、アルミニウム等の低電気抵抗の導電材の両面に負極活物質層を形成して成る負極集電体とをセパレータを介して交互に積層、又は積層巻回して成り、上記正極集電体に正極タブリード18が接続されると共に、負極集電体に負極タブリード20が接続されるものである。
尚、上記正極活物質層及び負極活物質層は、例えば、活性炭を主原料とし、これにカーボンブラック等の導電助剤及びポリテトラフルオロエチレン等のバインダを添加して構成することができる。
【００２２】
図４〜図６に示すように、第１の電気二重層キャパシタ10は、略直方体状のキャパシタ本体14を下側に配置したラミネートフィルム22上に載置すると共に、上側に配置したラミネートフィルム22で包み、その後、正極タブリード18及び負極タブリード20が上下のラミネートフィルム22間を通過して外部へ導出した状態で、ラミネートフィルム22の４辺の開口周縁を溶着・封止することにより外装ケース12を構成している。電解液は、ラミネートフィルム22の３辺の開口周縁を溶着・封止した後、残り１辺の開口部から充填し、その後、残り１辺の開口周縁を溶着・封止すれば良い。
尚、外装ケース12は、収納するキャパシタ本体14の形状に略対応した凸部12ａを有することとなる。
【００２３】
図５及び図６において、図示の便宜上ハッチングを施して示した12ｂ，12ｃは外装ケース12周縁の封止部であり、この内、12ｂは折り曲げ可能な封止部、12ｃは折り曲げ不可能な封止部である。
すなわち、正極タブリード18及び負極タブリード20の導出されている１辺が折り曲げ不可能な封止部12ｃであり、それ以外の３辺が折り曲げ可能な封止部12ｂである。
【００２４】
正極タブリード18及び負極タブリード20は、キャパシタ本体14の正極集電体及び負極集電体と接続しているので、正極タブリード18及び負極タブリード20が導出されている封止部12ｃを折り曲げると、正極集電体及び負極集電体が引っ張られて、正負極の集電体が正対する位置関係が変位し、静電容量の減少や電極間の短絡不良が発生するため、折り曲げることができないのである。
【００２５】
一方、正極タブリード18及び負極タブリード20が導出されていない封止部12ｂは折り曲げてもキャパシタ本体14に悪影響を与えることがないため折り曲げ可能である。
因みに、封止部12ｂ，12ｃの幅は通常、５mm〜１５mm程度であり、幅が広ければ広い程、水分の透過率が低くなり耐湿性が向上するが、コストやスペースの関係から１０mm程度が一般的である。
【００２６】
図１〜図３に示すように、第１の電気二重層キャパシタ10にあっては、折り曲げ可能な封止部12ｂ（図５参照）を、外装ケース12の凸部12ａ方向に折り曲げて成り、この結果、外装ケース12の外形寸法が小さくなり体積効率が向上する。
尚、折り曲げた封止部12ｂが元の状態に復元しないよう、例えば絶縁性接着剤等を用いて折り曲げた封止部12ｂを固定すれば良い。
【００２７】
また、図１〜図３に示すように、外装ケース12の凸部12ａの高さ以下における、折り曲げ不可能な封止部12ｃの上側に、上記正極タブリード18及び負極タブリード20と電気的に接続される制御基板16が配置されている。すなわち、該制御基板16は、正極タブリード18及び負極タブリード20に、下端部が接続されている薄い金属板より成る配線部材24，24の上端部と接続されており、所定の空間26を設けた状態で封止部12ｃの上側に配置されている（図２参照）。
尚、配線部材24，24は上記した金属板に限らず、電線でも良いが、後述するキャパシタモジュール制作時における複数の第１の電気二重層キャパシタ10同士の接続構造を考慮すると金属板が好ましい。
【００２８】
上記制御基板16は、第１の電気二重層キャパシタ10の電圧が耐電圧を超えない様に、第１の電気二重層キャパシタ10の電圧を制御し、その充電状況を監視するデバイスであり、例えば、ツェナーダイオードと抵抗で構成された電圧バランス均等化回路等を備えるものである。
【００２９】
而して、外装ケース12の凸部12ａの高さ（通常１０mm程度）分迄の封止部12ｃの上側の空間は、第１の電気二重層キャパシタ10の必要体積に影響を与えないスペースである。
本発明の第１の電気二重層キャパシタ10にあっては、外装ケース12の凸部12ａの高さ以下における、封止部12ｃの上側に制御基板16を配置したことにより、第１の電気二重層キャパシタ10の必要体積内に制御基板16を納めることができ、体積効率の低下を防止するができる。
また、制御基板16と封止部12ｃとの間に空間26を設けているので、制御基板16の熱が外装ケース12内部のキャパシタ本体14へ伝導することが効果的に抑制され、制御基板16の発熱による第１の電気二重層キャパシタ10の劣化を防止することができる。
【００３０】
尚、図示は省略するが、制御基板16と封止部12ｃとの間に空間26を設けることなく、封止部12ｃ上に直接、制御基板16を配置しても良い。この場合であっても、上記特許文献２と異なり、制御基板16が外装ケース12の外部に配置されることになるので、制御基板16の熱が外装ケース12内部のキャパシタ本体14へ伝導することを抑制する効果を奏するものである。
【００３１】
また、上記第１の電気二重層キャパシタ10の変形例を示す図７の如く、制御基板16と封止部12ｃとの間に、図示の便宜上ハッチングを施して示す断熱材28を介在させても良く、この場合も、制御基板16と封止部12ｃとの間に空間26を設けた場合と同様に、制御基板16の熱が外装ケース12内部のキャパシタ本体14へ伝導することが抑制され、制御基板16の発熱による第１の電気二重層キャパシタ10の劣化を防止することができる。
上記断熱材28は、例えば、セルロースファイバー、ガラスウール、発泡シリコン等で構成することができる。
【００３２】
尚、上記において、制御基板16の発熱による第１の電気二重層キャパシタ10の劣化をより一層防止する観点から、制御基板16に放熱板（図示省略）を取付ける構造としても良い。
【００３３】
図８は、上記第１の電気二重層キャパシタ10を複数個（６個）直列接続して構成した第１のキャパシタモジュール30を示す右側面図、図９は同平面図である。
複数個の第１の電気二重層キャパシタ10を直列接続する場合、上下に積層された一方の第１の電気二重層キャパシタ10の正極タブリード18と、他方の第１の電気二重層キャパシタ10の負極タブリード20とを接続する必要がある。
【００３４】
このため、図８に示すように、一対の第１の電気二重層キャパシタ10ａと10ｂ、10ｃと10ｄ、10ｅと10ｆの底面同士を重ね合わせて３個の組体を構成すると共に、これら組体を上下に積層している。
各組体を構成する第１の電気二重層キャパシタ10ａ，10ｃ，10ｅの正極タブリード18と、第１の電気二重層キャパシタ10ｂ，10ｄ，10ｆの負極タブリード20は近接配置されているので、伸ばした状態で重ね合わせて接続した後、９０度下方へ折り曲げている。
【００３５】
一方、第１の電気二重層キャパシタ10ｂ，10ｄの正極タブリード18と、第１の電気二重層キャパシタ10ｃ，10ｅの負極タブリード20は、外装ケース12の凸部12ａの存在により距離が離れているので、上側に配置されている第１の電気二重層キャパシタ10ｂ，10ｄの正極タブリード18を９０度下方へ折り曲げると共に、下側に配置されている第１の電気二重層キャパシタ10ｃ，10ｅの負極タブリード20を９０度上方へ折り曲げて、両タブリート18，20の先端を重ね合わせた状態で接続している。尚、凸部12ａの高さが大きく、両タブリート18，20を折り曲げた状態でも長さが不足する場合には、継手を介して両タブリート18，20を接続すれば良い。
【００３６】
本発明に係る第１の電気二重層キャパシタ10は、上記した通り、外装ケース12の凸部12ａの高さ以下における、封止部12ｃの上側に制御基板16を配置したことにより、第１の電気二重層キャパシタ10の必要体積内に制御基板16を納めることができるようになっているので、斯かる第１の電気二重層キャパシタ10を複数個（６個）直列接続して第１のキャパシタモジュール30を構成した場合にあっても、キャパシタモジュールとして必要な体積は、モジュールを構成する第１の電気二重層キャパシタ10の合計体積と同じであり、体積効率が極めて高いものである。
【００３７】
図１０は、本発明に係る第２の電気二重層キャパシタ50を示す平面図、図１１は同右側面図、図１２は同正面図、図１３は、第２の電気二重層キャパシタ50の分解説明図、図１４は第１の電気二重層キャパシタ10の組立工程を示す平面説明図、図１５は同右側面説明図である。
【００３８】
本発明に係る第２の電気二重層キャパシタ50は、外装ケース52以外の構造は、上記第１の電気二重層キャパシタ10と実質的に同一である。
この第２の電気二重層キャパシタ50は、図１３に示すように、１枚の矩形状のラミネートフィルム54を折り曲げてキャパシタ本体14を包み、その後、正極タブリード18及び負極タブリード20が上下のラミネートフィルム22間を通過して外部へ導出した状態で、ラミネートフィルム22の３辺の開口周縁を溶着・封止することにより外装ケース52を構成している。
【００３９】
第２の電気二重層キャパシタ50は、１枚の矩形状のラミネートフィルム54を用いて外装ケース52を構成した結果、図１４及び図１５に示すように、３辺が外装ケース52周縁の封止部となり、正極タブリード18及び負極タブリード20の導出されている１辺が折り曲げ不可能な封止部52ｃ、それ以外の２辺が折り曲げ可能な封止部52ｂである。
【００４０】
図１０〜図１２に示すように、第２の電気二重層キャパシタ50にあっては、折り曲げ可能な封止部52ｂ（図１４参照）を、外装ケース52の凸部52ａ方向に折り曲げて成り、この結果、外装ケース52の外形寸法が小さくなり体積効率が向上する。
【００４１】
本発明の第２の電気二重層キャパシタ50も、上記第１の電気二重層キャパシタ10と同じく、外装ケース52の凸部52ａの高さ以下における、封止部52ｃの上側に制御基板16を配置したことにより、第２の電気二重層キャパシタ50の必要体積内に制御基板16を納めることができ、体積効率の低下を防止するができる。
また、制御基板16と封止部52ｃとの間に空間26を設けているので、制御基板16の熱が外装ケース52内部のキャパシタ本体14へ伝導することが効果的に抑制され、制御基板16の発熱による第２の電気二重層キャパシタ50の劣化を防止することができる。
【００４２】
図１６は、本発明に係る第３の電気二重層キャパシタ60を示す平面図、図１７は同右側面図、図１８は同正面図、図１９は第３の電気二重層キャパシタ60の組立工程を示す平面説明図、図２０は同右側面説明図である。
【００４３】
本発明に係る第３の電気二重層キャパシタ60は、上記第１の電気二重層キャパシタ10及び第２の電気二重層キャパシタ50と異なり、外装ケース62から導出する正極タブリード64及び負極タブリード66の導出方向が正反対であり、図１６に示すように、正極タブリード64は右方向、負極タブリード66は左方向へ導出して成る。
【００４４】
図１９及び図２０に示すように、正極タブリード64及び負極タブリード66が導出されている２辺は折り曲げ不可能な封止部62ｃと成されており、それ以外の２辺が折り曲げ可能な封止部62ｂと成されている。
【００４５】
図１６〜図１８に示すように、第３の電気二重層キャパシタ60にあっては、折り曲げ可能な封止部62ｂを、外装ケース62の凸部62ａ方向に折り曲げて成り、この結果、外装ケース62の外形寸法が小さくなり体積効率が向上している。
【００４６】
また、外装ケース62の凸部62ａの高さ以下における、正極タブリード64が導出された辺における封止部62ｃの上側に、上記正極タブリード64及び負極タブリード66と電気的に接続される制御基板68が配置されている。
【００４７】
すなわち、上記制御基板68は、正極タブリード64に下端部が接続されている薄い金属板より成る板状の第１の配線部材70の上端部と接続され、また、一端が負極タブリード66に接続されると共に、他端が封止部62ｂ，62ｃを経由して正極タブリード64の近傍迄延設されている薄い金属板より成る第２の配線部材72の上端部と接続されており、所定の空間26を設けた状態で封止部62ｃの上側に配置されている（図１６及び図１７参照）。
【００４８】
上記第２の配線部材72は、経由する封止部62ｂ，62ｃの形状に合わせて金属板を型抜きして封止部62ｂ，62ｃに貼り付けたり、或いは、所定幅の長尺な金属板を、経由する封止部62ｂ，62ｃの形状に合うように折り曲げて用いても良い。第２の配線部材72を、外装ケース62の封止部62ｂ，62ｃを経由させて配線することにより、第２の配線部材72を配置するために必要とする体積を小さくすることができる。
【００４９】
本発明の第３の電気二重層キャパシタ60も、上記第１の電気二重層キャパシタ10と同じく、外装ケース62の凸部62ａの高さ以下における、封止部62ｃの上側に制御基板68を配置したことにより、第３の電気二重層キャパシタ60の必要体積内に制御基板68を納めることができ、体積効率の低下を防止するができる。
また、制御基板68と封止部62ｃとの間に空間26を設けているので、制御基板68の熱が外装ケース62内部のキャパシタ本体14へ伝導することが効果的に抑制され、制御基板16の発熱による第３の電気二重層キャパシタ60の劣化を防止することができる。
【００５０】
図２１〜図２４は、上記第３の電気二重層キャパシタ60を複数個（６個）直列接続して構成した第２のキャパシタモジュール80を示すものであり、図２１は右側面図、図２２は左側面図、図２３は平面図、図２４は正面図である。
【００５１】
複数個の第３の電気二重層キャパシタ60を直列接続する場合、上下に積層された一方の第３の電気二重層キャパシタ60の正極タブリード64と、他方の第３の電気二重層キャパシタ60の負極タブリード20とを接続する必要がある。
【００５２】
このため、図２１及び図２２に示すように、一対の第３の電気二重層キャパシタ60ａと60ｂ、60ｃと60ｄ、60ｅと60ｆを、正極タブリード64と負極タブリード20が反対側に配される状態で、底面同士を重ね合わせて３個の組体を構成すると共に、これら組体を上下に積層している。
【００５３】
各組体を構成する第３の電気二重層キャパシタ60ａ，60ｃ，60ｅの負極タブリード66と、第３の電気二重層キャパシタ60ｂ，60ｄ，60ｆの正極タブリード64は近接配置されているので、伸ばした状態で重ね合わせて接続した後、９０度下方へ折り曲げている（図２２参照）。
【００５４】
一方、第３の電気二重層キャパシタ60ｂ，60ｄの負極タブリード66と、第３の電気二重層キャパシタ60ｃ，60ｅの正極タブリード64は、外装ケース62の凸部62ａの存在により距離が離れているので、上側に配置されている第３の電気二重層キャパシタ60ｂ，60ｄの負極タブリード66を９０度下方へ折り曲げると共に、下側に配置されている第３の電気二重層キャパシタ60ｃ，60ｅの正極タブリード64を９０度上方へ折り曲げて、両タブリート64，66の先端を重ね合わせた状態で接続している。
【００５５】
本発明に係る第３の電気二重層キャパシタ60は、上記した通り、外装ケース62の凸部62ａの高さ以下における、封止部62ｃの上側に制御基板68を配置したことにより、第３の電気二重層キャパシタ60の必要体積内に制御基板68を納めることができるようになっているので、斯かる第３の電気二重層キャパシタ60を複数個（６個）直列接続して第２のキャパシタモジュール80を構成した場合にあっても、キャパシタモジュールとして必要な体積は、モジュールを構成する第３の電気二重層キャパシタ60の合計体積と同じであり、体積効率が極めて高いものである。
【００５６】
上記においては、外装ケース12，52，62の封止部12ｂ・12ｃ，52ｂ・52ｃ，62ｂ・62ｃが４辺の場合を例示し、正極タブリード18，64及び負極タブリード20，66の何れもが導出されていない辺の封止部12ｂ，52ｂ，62ｂを、外装ケース12，52，62の凸部12ａ，52ａ，62ａ方向に折り曲げた場合を説明したが、本発明はこれに限定されるものではない。
すなわち、外装ケースの封止部が複数の辺を有している場合において、正極タブリード及び負極タブリードの何れもが導出されていない辺の封止部を、外装ケースの凸部方向に折り曲げれば良く、この結果、外装ケースの外形寸法が小さくなり体積効率を向上させることができるのである。
【符号の説明】
【００５７】
10    第１の電気二重層キャパシタ
12    外装ケース
12ａ  凸部
12ｂ  折り曲げ可能な封止部
12ｃ  折り曲げ不可能な封止部
14    キャパシタ本体
16    制御基板
18    正極タブリード
20    負極タブリード
22    ラミネートフィルム
24    配線部材
26    空間
28    断熱材
30    第１のキャパシタモジュール
50    第２の電気二重層キャパシタ
52    外装ケース
52ａ  凸部
52ｂ  折り曲げ可能な封止部
52ｃ  折り曲げ不可能な封止部
54    ラミネートフィルム
60    第３の電気二重層キャパシタ
62    外装ケース
62ａ  凸部
62ｂ  折り曲げ可能な封止部
62ｃ  折り曲げ不可能な封止部
64    正極タブリード
66    負極タブリード
68    制御基板
70    第１の配線部材
72    第２の配線部材
80    第２のキャパシタモジュール
【図１】
2015046417.tif 000003
【図２】
2015046417.tif 000004
【図３】
2015046417.tif 000005
【図４】
2015046417.tif 000006
【図５】
2015046417.tif 000007
【図６】
2015046417.tif 000008
【図７】
2015046417.tif 000009
【図８】
2015046417.tif 000010
【図９】
2015046417.tif 000011
【図１０】
2015046417.tif 000012
【図１１】
2015046417.tif 000013
【図１２】
2015046417.tif 000014
【図１３】
2015046417.tif 000015
【図１４】
2015046417.tif 000016
【図１５】
2015046417.tif 000017
【図１６】
2015046417.tif 000018
【図１７】
2015046417.tif 000019
【図１８】
2015046417.tif 000020
【図１９】
2015046417.tif 000021
【図２０】
2015046417.tif 000022
【図２１】
2015046417.tif 000023
【図２２】
2015046417.tif 000024
【図２３】
2015046417.tif 000025
【図２４】
2015046417.tif 000026